(57)【要約】  本発明は、マルチセグメント放送の全ての選局情報を取得することができる送信装置および送信方法、並びに、受信装置および受信方法に関する。信号変換部４３は、ワンセグ再放送の中央セグメントの選局に関する情報である選局情報と、中央セグメントがマルチセグメント放送のセグメントであることを示すマルチセグメント情報を含む、ワンセグ再放送の中央セグメントのNITを生成する。マルチセグメント送出部４４は、そのワンセグ再放送の中央セグメントのNITを中央セグメントで送信する。本発明は、例えば、地上波デジタル放送波でマルチセグメント放送を送信する放送局に適用することができる。
2010110295.tif 000002
【特許請求の範囲】
【請求項１】
マルチセグメント放送の代表セグメントの選局に関する情報である選局情報と、前記代表セグメントが前記マルチセグメント放送のセグメントであることを示すマルチセグメント情報を含む代表選局情報を生成する生成手段と、
前記代表選局情報を前記代表セグメントで送信する送信手段と
を備える送信装置。
【請求項２】
前記代表選局情報は、前記代表セグメントを含む物理チャンネルを構成する複数のセグメントのうちの、前記マルチセグメント放送で用いられるセグメントの配置を示すレイアウト情報を含む
請求項１に記載の送信装置。
【請求項３】
前記代表選局情報は、前記セグメントの間隔を示すモード情報を含む
請求項２に記載の送信装置。
【請求項４】
地上波デジタル放送の所定の１セグメントで送信されてくる、画像または音声のデータであるワンセグデータと、前記地上波デジタル放送の選局情報を受信する受信手段
をさらに備え、
前記生成手段は、前記受信手段により受信された、前記代表セグメントで再送されるワンセグデータである代表ワンセグデータに対応する選局情報を、前記代表セグメントの選局情報として、その選局情報、前記マルチセグメント情報、前記ワンセグデータの再送に用いられるセグメントの配置を示す再送情報を含む前記代表選局情報を生成し、
前記送信手段は、前記代表ワンセグデータと前記代表選局情報を前記代表セグメントで送信し、前記代表ワンセグデータ以外のワンセグデータと、そのワンセグデータに対応する前記地上波デジタル放送の選局情報を前記代表セグメント以外のセグメントで送信する
請求項１に記載の送信装置。
【請求項５】
前記生成手段は、前記代表ワンセグデータに対応する前記地上波デジタル放送の選局情報に含まれる前記所定の１セグメントの周波数を、前記代表セグメントの周波数に変更して、前記代表セグメントの選局情報を生成し、その選局情報、前記マルチセグメント情報、前記再送情報を含む前記代表選局情報を生成する
請求項４に記載の送信装置。
【請求項６】
前記生成手段はまた、前記マルチセグメント放送の前記代表セグメント以外のセグメントである代表外セグメントの選局情報を生成し、
前記送信手段は、前記代表選局情報を前記代表セグメントで送信し、前記代表外セグメントの選局情報を前記代表外セグメントで送信し、
前記代表選局情報は、前記送信手段による送信に用いられる前記代表セグメントと前記代表外セグメントの配置を、同一の送信装置による送信に用いられるセグメントの配置として示す連結情報を含む
請求項１に記載の送信装置。
【請求項７】
送信装置が、
マルチセグメント放送の代表セグメントの選局に関する情報である選局情報と、前記代表セグメントが前記マルチセグメント放送のセグメントであることを示すマルチセグメント情報を含む代表選局情報を生成する生成ステップと、
前記代表選局情報を前記代表セグメントで送信する送信ステップと
を含む送信方法。
【請求項８】
マルチセグメント放送の代表セグメントで送信されてくる、前記代表セグメントの選局に関する情報である選局情報と、前記代表セグメントが前記マルチセグメント放送のセグメントであることを示すマルチセグメント情報を含む代表選局情報を受信する受信手段と、
前記受信手段により受信された前記代表選局情報に含まれる前記マルチセグメント情報に応じて選局を制御する制御手段と
を備える受信装置。
【請求項９】
前記代表選局情報は、前記物理チャンネルを構成する複数のセグメントのうちの、前記マルチセグメント放送で用いられるセグメントの配置を示すレイアウト情報を含み、
前記制御手段は、前記マルチセグメント情報と前記レイアウト情報に基づいて、前記マルチセグメント放送で用いられるセグメントの選局を制御する
請求項８に記載の受信装置。
【請求項１０】
前記受信手段はまた、前記制御手段の制御にしたがって、前記マルチセグメント放送で用いられるセグメントを選局し、そのセグメントで送信される放送データに関する情報を受信する
請求項９に記載の受信装置。
【請求項１１】
前記代表選局情報は、前記セグメントの間隔を示すモード情報を含み、
前記制御手段は、前記マルチセグメント情報、前記レイアウト情報、および前記モード情報に基づいて、前記マルチセグメント放送で用いられるセグメントの選局を制御する
請求項９に記載の受信装置。
【請求項１２】
前記制御手段は、前記マルチセグメント情報、前記レイアウト情報、前記モード情報、および前記代表セグメントの周波数に基づいて、前記マルチセグメント放送で用いられるセグメントの周波数を決定し、その周波数に基づいて選局を制御する
請求項１１に記載の受信装置。
【請求項１３】
前記制御手段は、前記マルチセグメント情報、前記レイアウト情報、前記モード情報、および前記代表セグメントの選局情報に含まれる前記代表セグメントの周波数に基づいて、前記マルチセグメント放送で用いられるセグメントの周波数を決定し、その周波数に基づいて選局を制御する
請求項１１に記載の受信装置。
【請求項１４】
前記受信手段は、前記代表セグメントで送信されてくる、前記代表選局情報と、地上波デジタル放送の所定の１セグメントで既に送信された画像または音声のデータであるワンセグデータを受信し、
前記代表選局情報は、前記代表セグメントで再送されるワンセグデータである代表ワンセグデータとともに前記地上波デジタル放送の所定の１セグメントで既に送信された前記地上波デジタル放送の選局情報を前記代表セグメントの選局情報として含み、さらに前記マルチセグメント情報と前記ワンセグデータの再送に用いられるセグメントの配置を示す再送情報を含む
請求項８に記載の受信装置。
【請求項１５】
前記代表選局情報は、前記代表ワンセグデータに対応する前記地上波デジタル放送の選局情報に含まれる前記所定の１セグメントの周波数を、前記代表セグメントの周波数に変更することにより生成された前記代表セグメントの選局情報、前記マルチセグメント情報、および前記再送情報を含む
請求項１４に記載の受信装置。
【請求項１６】
前記制御手段は、前記マルチセグメント情報と、前記代表セグメントの選局情報に含まれる前記代表セグメントの周波数に基づいて、前記物理チャンネルを構成する前記代表セグメント以外のセグメントの周波数を決定し、その周波数に基づいて選局を制御する
請求項１５に記載の受信装置。
【請求項１７】
前記代表選局情報は、前記物理チャンネルを構成する複数のセグメントのうち、同一の送信装置による送信に用いられるセグメントの配置を示す連結情報を含む
請求項８に記載の受信装置。
【請求項１８】
前記制御手段はまた、前記連結情報に基づいて選局時の同期処理の有無を制御する
請求項１７に記載の受信装置。
【請求項１９】
前記制御手段は、前記マルチセグメント情報に応じて、前記代表セグメントを含む物理チャンネルを構成する中央セグメント以外のセグメントの選局を制御する
請求項８に記載の受信装置。
【請求項２０】
受信装置が、
マルチセグメント放送の代表セグメントで送信されてくる、前記代表セグメントの選局に関する情報である選局情報と、前記代表セグメントが前記マルチセグメント放送のセグメントであることを示すマルチセグメント情報を含む代表選局情報を受信する受信ステップと、
前記受信ステップの処理により受信された前記代表選局情報に含まれる前記マルチセグメント情報に応じて選局を制御する制御ステップと
を含む受信方法。
【発明の詳細な説明】
【技術分野】
【０００１】
本発明は、送信装置および送信方法、並びに、受信装置および受信方法に関し、特に、マルチセグメント放送の全ての選局情報を取得することができるようにした送信装置および送信方法、並びに、受信装置および受信方法に関する。
【背景技術】
【０００２】
近年、UHF（Ultra High Frequency）帯において地上波デジタル放送が実施されている。地上波デジタル放送の物理チャンネルは１３セグメントに分割され、そのうちの１セグメント分の帯域で携帯端末向け放送が行われる。そして、残りの１２セグメント分の帯域で、テレビジョン受像機などの固定端末向けの放送が行われる（例えば、特許文献１参照）。【０００３】
携帯端末向け放送では、現在、固定端末向け放送と同一の内容が放送されており、携帯端末向け放送を受信する携帯端末は、携帯電話機を中心に既に広く普及している。【０００４】
また、地上波デジタル放送波には、UHF帯の１３乃至５２チャンネルのうち、各地域で実際に地上波デジタル放送が行われているチャンネル以外の空きチャンネルが多く存在する。そのため、この空きチャンネルを有効利用する方法が検討されている。【０００５】
空きチャンネルを有効利用する有力な方法としては、空きチャンネルでマルチセグメント放送を行う方法がある。なお、マルチセグメント放送とは、１つの物理チャンネルで同時に送出される複数の１セグメント分の放送である。即ち、マルチセグメント放送とは、地上デジタル放送の周波数帯域を複数のセグメントに分割して、１セグメントで、１以上の放送サービスを行う放送である。【０００６】
ところで、従来の携帯端末向け放送を受信する携帯端末は、以下のようにして、周波数などの選局に関する情報である選局情報を取得し、選局情報のテーブル（以下、選局テーブルという）を作成する。【０００７】
図１は、従来の携帯端末による選局テーブル作成処理のフローチャートである。【０００８】
ステップＳ１１において、携帯端末は、所定の物理チャンネル（例えば、最も周波数の低い物理チャンネル）を、処理の対象とする対象物理チャンネルとする。ステップＳ１２において、携帯端末は、対象物理チャンネルの中央セグメントを選局する。ステップＳ１３において、携帯端末は、対象物理チャンネルの中央セグメントのＴＳ（Transport Stream）が受信されたかどうかを判定し、受信されたと判定した場合、処理をステップＳ１４に進める。【０００９】
ステップＳ１４において、携帯端末は、受信されたＴＳから、NIT actualとして記述されている自セグメントのネットワークに関する情報であるNIT（Network Information Table）と、SDT actualとして記述されている自セグメントのネットワークの放送サービスに関する情報であるSDT（Service Description Table）を取得する。なお、NITとは、特定の放送サービスが伝送されるキャリアをチューニングするための放送サービス毎の周波数情報と対応する放送サービスについての情報とが含まれるテーブルである。また、SDTとは、各放送サービスに関するメタ情報(例えば、サービス名等)が含まれるテーブルである。ステップＳ１４の処理後、処理はステップＳ１５に進む。【００１０】
一方、ステップＳ１３で中央セグメントのＴＳが受信されていないと判定された場合、ステップＳ１４をスキップして、処理はステップＳ１５に進む。【００１１】
ステップＳ１５において、携帯端末は、全ての物理チャンネルを対象物理チャンネルとしたかどうかを判定する。ステップＳ１５で全ての物理チャンネルを対象物理チャンネルとしていないと判定された場合、ステップＳ１６において、携帯端末は、次の物理チャンネル（例えば、周波数が次に高い物理チャンネル）を対象物理チャンネルとして、処理をステップＳ１２に戻す。そして、携帯端末は、全ての物理チャンネルを対象物理チャンネルとするまで、ステップＳ１２乃至Ｓ１６の処理を繰り返す。【００１２】
一方、ステップＳ１５で全ての物理チャンネルを対象物理チャンネルとしたと判定された場合、ステップＳ１７において、携帯端末は、ステップＳ１４で取得されたNITとSDTに基づいて選局テーブルを作成する。【００１３】
具体的には、図２に示すように、NITには、自セグメントに対応する、ネットワークに固有のＩＤであるネットワークＩＤ、ＴＳに固有のＩＤであるＴＳＩＤ、周波数、放送サービスに固有のサービスＩＤなどが記述されている。また、SDTには、自セグメントに対応する放送サービスに関するメタ情報として、その放送サービスのＴＳＩＤ、サービスＩＤ、サービス名などが記述されている。【００１４】
従って、図２に示すように、携帯端末は、各物理チャンネルの中央セグメントのNITから、サービスＩＤと選局情報としての周波数を取得するとともに、そのNITに対応するSDTからサービス名を取得して対応付け、選局テーブルとする。【００１５】
なお、図２の例では、物理チャンネル１（物理CH-1）の中央セグメントにおいて、２つの放送サービスが時分割で放送されるため、物理チャンネル１の中央セグメントのNITには、２つのサービスＩＤが記述されている。
【先行技術文献】
【特許文献】
【００１６】
【特許文献１】特開２００７−３２９８４７号公報
【発明の概要】
【発明が解決しようとする課題】
【００１７】
以上のように、従来の携帯端末は、各物理チャンネルの中央セグメントのＴＳをスキャンして、そのＴＳに含まれている自セグメントのNITから選局情報を取得する。【００１８】
従って、空きチャンネルでマルチセグメント放送が行われる場合、図３に示すように、その空きチャンネルの中央セグメント１１の選局情報は取得できるが、中央セグメント１１以外のセグメント１２−１乃至１２−６の選局情報は取得できない。【００１９】
本発明は、このような状況に鑑みてなされたものであり、マルチセグメント放送の全ての選局情報を取得することができるようにするものである。
【課題を解決するための手段】
【００２０】
本発明の第１の側面の送信装置は、マルチセグメント放送の代表セグメントの選局に関する情報である選局情報と、前記代表セグメントが前記マルチセグメント放送のセグメントであることを示すマルチセグメント情報を含む代表選局情報を生成する生成手段と、前記代表選局情報を前記代表セグメントで送信する送信手段とを備える送信装置である。【００２１】
本発明の第１の側面の送信方法は、送信装置が、マルチセグメント放送の代表セグメントの選局に関する情報である選局情報と、前記代表セグメントが前記マルチセグメント放送のセグメントであることを示すマルチセグメント情報を含む代表選局情報を生成する生成ステップと、前記代表選局情報を前記代表セグメントで送信する送信ステップとを含む送信方法である。【００２２】
本発明の第１の側面においては、マルチセグメント放送の代表セグメントの選局に関する情報である選局情報と、代表セグメントがマルチセグメント放送のセグメントであることを示すマルチセグメント情報を含む代表選局情報が生成され、その代表選局情報が代表セグメントで送信される。【００２３】
本発明の第２の側面の受信装置は、マルチセグメント放送の代表セグメントで送信されてくる、前記代表セグメントの選局に関する情報である選局情報と、前記代表セグメントが前記マルチセグメント放送のセグメントであることを示すマルチセグメント情報を含む代表選局情報を受信する受信手段と、前記受信手段により受信された前記代表選局情報に含まれる前記マルチセグメント情報に応じて選局を制御する制御手段とを備える受信装置である。【００２４】
本発明の第２の側面の受信方法は、受信装置が、マルチセグメント放送の代表セグメントで送信されてくる、前記代表セグメントの選局に関する情報である選局情報と、前記代表セグメントが前記マルチセグメント放送のセグメントであることを示すマルチセグメント情報を含む代表選局情報を受信する受信ステップと、前記受信ステップの処理により受信された前記代表選局情報に含まれる前記マルチセグメント情報に応じて選局を制御する制御ステップとを含む受信方法である。【００２５】
本発明の第２の側面においては、マルチセグメント放送の代表セグメントで送信されてくる、代表セグメントの選局に関する情報である選局情報と、代表セグメントがマルチセグメント放送のセグメントであることを示すマルチセグメント情報を含む代表選局情報が受信され、その代表選局情報に含まれるマルチセグメント情報に応じて選局が制御される。
【発明の効果】
【００２６】
以上のように、本発明の第１の側面によれば、マルチセグメント放送の代表セグメントの選局情報と、代表セグメントがマルチセグメント放送のセグメントであることを示すマルチセグメント情報を、代表セグメントで送信することができる。その結果、マルチセグメント放送の受信側でマルチセグメント放送の全ての選局情報を取得することができる。【００２７】
本発明の第２の側面によれば、マルチセグメント放送の全ての選局情報を取得することができる。
【図面の簡単な説明】
【００２８】
【図１】従来の携帯端末による選局テーブル作成処理のフローチャートである。
【図２】選局テーブルの例を示す図である。
【図３】従来の携帯端末において取得可能な選局情報を説明する図である。
【図４】本発明を適用した送受信システムの第１実施の形態の構成例を示す図である。
【図５】図４の送受信システムにおける地上波デジタル放送波の帯域の割り当てについて説明する図である。
【図６】マルチセグメント放送の構成例を示す図である。
【図７】ワンセグ再放送の選局情報の取得方法について説明する図である。
【図８】１セグ再送信局の詳細構成例を示すブロック図である。
【図９】ワンセグ再放送用の物理チャンネルのNITについて説明する図である。
【図１０】NITのデータ構造を示す図である。
【図１１】マルチセグメント情報ディスクリプタの記述例を示す図である。
【図１２】マルチセグメントモードの例を示す図である。
【図１３】マルチセグメントビットマップの構成例を示す図である。
【図１４】ワンセグ再放送の送信形態を示す図である。
【図１５】ワンセグ再放送の他の送信形態を示す図である。
【図１６】ワンセグ再放送のさらに他の送信形態を示す図である。
【図１７】連結情報に基づく選局順の制御について説明する図である。
【図１８】１セグ再送信情報ディスクリプタの詳細構成例を示す図である。
【図１９】１セグ再送信局の送信処理を説明するフローチャートである。
【図２０】図４の受信端末の詳細構成例を示すブロック図である。
【図２１】受信端末による選局テーブルの作成方法について説明する図である。
【図２２】従来の受信端末と本発明の受信端末について説明する図である。
【図２３】選局テーブルの例を示す図である。
【図２４】受信端末による選局テーブル作成処理のフローチャートである。
【図２５】本発明を適用した送受信システムの第２実施の形態の構成例を示す図である。
【図２６】コミュニティ放送局の詳細構成例を示すブロック図である。
【図２７】コミュニティ放送局の送信処理を説明するフローチャートである。
【図２８】図２５の受信端末の詳細構成例を示すブロック図である。
【図２９】図２５の受信端末による選局テーブルの作成方法について説明する図である。
【図３０】図２５の受信端末により作成された選局テーブルの例を示す図である。
【図３１】図２５の受信端末による選局テーブル作成処理のフローチャートである。
【図３２】パーソナルコンピュータのハードウエアの構成例を示すブロック図である。
【発明を実施するための形態】
【００２９】
＜第１実施の形態＞
［送受信システムの第１実施の形態の構成例］
図４は、本発明を適用した送受信システムの第１実施の形態の構成例を示す図である。
【００３０】
図４の送受信システム３０は、地上波放送局３１−１乃至３１−３、１セグ再送信局３２、および受信端末３３により構成される。
【００３１】
地上波放送局３１−１乃至３１−３は、地上波デジタル放送波で地上波デジタル放送を行う。なお、以下では、地上波放送局３１−１乃至３１−３を特に区別する必要が無い場合、それらをまとめて地上波放送局３１という。
【００３２】
１セグ再送信局３２は、地上波放送局３１から送信される地上波デジタル放送の携帯端末向け放送(以下、ワンセグ放送という)を受信する。そして、１セグ再送信局３２は、そのワンセグ放送をマルチセグメント放送として、地上波デジタル放送波の空きチャンネルを利用して、受信困難地域に再送する。なお、受信困難地域とは、地上波放送局３１から送信される地上波デジタル放送を受信しにくい地下街などの地域を指す。
【００３３】
受信端末３３は、地上波放送局３１からのワンセグ放送と、１セグ再送信局３２からのマルチセグメント放送としてのワンセグ放送を受信可能な携帯端末である。以下では、１セグ再送信局３２から送信されるワンセグ放送をワンセグ再放送という。
【００３４】
以上のように、１セグ再送信局３２は、受信困難地域にワンセグ放送を再送するので、受信端末３３が受信困難地域にある場合であっても、ワンセグ放送を確実に受信することができる。以下、マルチセグメント放送の一例として、ワンセグ放送で説明を進める。
【００３５】
［地上波デジタル放送波の説明］
図５は、図４の送受信システム３０における地上波デジタル放送波の帯域の割り当てについて説明する図である。
【００３６】
図５に示すように、送受信システム３０において、地上波デジタル放送波の全帯域のうち、地上波デジタル放送に使用される物理チャンネルでは、中央の１セグメント分の帯域でワンセグ放送が行われ、残りの１２セグメント分の帯域で固定端末向け放送が行われる。
【００３７】
また、空きチャンネルでは、ワンセグ再放送がマルチセグメント放送として送信される。なお、１つの空きチャンネルで放送可能なワンセグ再放送の論理チャンネルの最大数は、１３チャンネルである。
【００３８】
図６は、１つの空きチャンネルで送信されるマルチセグメント放送の構成例を示す図である。
【００３９】
図６のマルチセグメント放送は、４つの物理チャンネルの中央セグメントで送信されるワンセグ放送により構成される。
【００４０】
［選局情報の取得方法]
図７は、送受信システム３０におけるワンセグ再放送の選局情報の取得方法について説明する図である。
【００４１】
図７に示すように、ワンセグ再放送の選局情報の取得方法としては、主に、３つの方法が考えられる。第１の方法は、放送波のスキャンにより選局情報を取得する方法である。第１の方法では、受信端末は、地上波デジタル放送波をスキャンするだけで、受信可能なワンセグ再放送の選局情報を取得することができる。従って、受信端末を所持するユーザは、自分の位置で受信可能なワンセグ再放送があるかどうかを意識する必要なく、受信可能なワンセグ再放送の選局情報を自動的に取得することができる。
【００４２】
第２の方法は、選局情報を受信端末に埋め込む方法である。第２の方法では、受信端末が予め選局情報を記憶しておく必要があるが、地域ごとに異なるワンセグ再放送の選局情報を全て記憶しておくことは困難である。従って、第２の方法は、ワンセグ再放送には適していない。
【００４３】
第３の方法は、放送波以外の手段(例えば、インターネットを介した通信等)により選局情報を取得する方法である。第３の方法では、受信端末を所持するユーザが、自分の位置で受信可能なワンセグ再放送があるかどうかを把握し、そのワンセグ再放送の選局情報の取得を指示する必要がある。しかしながら、地域ごとに異なるワンセグ再放送を、その地域とともに全て把握しておくことは困難である。従って、第３の方法は、ワンセグ再放送には適していない。
【００４４】
以上により、送受信システム３０では、ワンセグ再放送の選局情報の取得方法として第１の方法が採用されている。具体的には、地上波放送局３１および１セグ再送信局３２が、地上波デジタル放送波で選局情報を送信し、受信端末３３が、その選局情報をスキャンにより取得し、保持する。そして、受信端末３３は、保持されている選局情報に基づいて、所定の論理チャンネルのワンセグ再放送を選局し、再生する。
【００４５】
[１セグ再送信局の詳細構成例]
図８は、１セグ再送信局３２の詳細構成例を示すブロック図である。
【００４６】
図８の１セグ再送信局３２は、受信アンテナ４１、１セグチューナ４２−１乃至４２−３、信号変換部４３−１乃至４３−３、マルチセグメント送出部４４、および送信アンテナ４５により構成される。
【００４７】
１セグチューナ４２−１は、地上波放送局３１から送信され、受信アンテナ４１を介して受信される地上波デジタル放送の所定の中央セグメントを選局し、その中央セグメントで送信されてくるワンセグ放送のＴＳを信号変換部４３−１に供給する。ワンセグ放送のＴＳには、ワンセグ放送のビデオデータまたはオーディオデータ、NIT,SDTなどが含まれている。
【００４８】
１セグチューナ４２−２，４２−３は、１セグチューナ４２−１と同様に、地上波デジタル放送の所定の中央セグメントを選局し、その中央セグメントで送信されてくるワンセグ放送のＴＳを信号変換部４３−２，４３−３に供給する。
【００４９】
信号変換部４３−１は、１セグチューナ４２−１から供給されるワンセグ放送のＴＳが、マルチセグメント放送の中央セグメントで送信するＴＳである場合、そのワンセグ放送のＴＳに含まれるNITを変更し、その中央セグメントのNITを生成する。信号変換部４３−１は、生成されたNITで更新されたワンセグ放送のＴＳを、中央セグメントで送信するワンセグ再放送のＴＳとしてマルチセグメント送出部４４に供給する。
【００５０】
一方、１セグチューナ４２−１からのワンセグ放送のＴＳが、マルチセグメント放送の中央セグメントで送信するＴＳではない場合、信号変換部４３−１は、１セグチューナ４２−１からのワンセグ放送のＴＳをそのままにする。そして、信号変換部４３−１は、そのＴＳをマルチセグメント放送の中央セグメント以外のセグメント(以下、中央外セグメントという)で送信するワンセグ再放送のＴＳとして、マルチセグメント送出部４４に供給する。
【００５１】
信号変換部４３−２，４３−３は、信号変換部４３−１と同様に、１セグチューナ４２−１からのワンセグ放送のＴＳに含まれるNITを変更し、マルチセグメント放送の中央セグメントのNITを生成する。そして、信号変換部４３−２，４３−３は、生成されたNITで更新されたワンセグ放送のＴＳを、中央セグメントで送信するワンセグ再放送のＴＳとしてマルチセグメント送出部４４に供給する。また、信号変換部４３−２，４３−３は、信号変換部４３−１と同様に、１セグチューナ４２−１からのワンセグ放送のＴＳをそのまま、中央外セグメントで送信するワンセグ再放送のＴＳとしてマルチセグメント送出部４４に供給する。
【００５２】
なお、以下では、１セグチューナ４２−１乃至４２−３を特に区別する必要がない場合、それらをまとめて１セグチューナ４２という。同様に、信号変換部４３−１乃至４３−３も信号変換部４３という。また、図８では、１セグチューナ４２と信号変換部４３は３個ずつ設けられたが、その数はこれに限定されない。
【００５３】
マルチセグメント送出部４４は、信号変換部４３から供給される、中央セグメントで送信するワンセグ再放送のＴＳを、送信アンテナ４５を介して中央セグメントで送信する。また、マルチセグメント送出部４４は、信号変換部４３から供給される、中央外セグメントで送信するワンセグ再放送のＴＳを、送信アンテナ４５を介して中央外セグメントで送信する。
【００５４】
以上のように、１セグ再送信局３２は、中央外セグメントのNITとして、ワンセグ放送のNITをそのまま送信するので、信号変換部４３は、中央セグメントのNITだけを変更する機能を有すれば良い。従って、マルチセグメント放送の全セグメントのNITを変更する必要がある場合に比べて、１セグ再送信局３２のコストを低減することができる。
【００５５】
[NITの説明]
図９は、ワンセグ再放送用の物理チャンネルの各セグメントで送信されるNITについて説明する図である。
【００５６】
図９に示すように、マルチセグメント放送の中央セグメントｓ７では、１セグ再送信局３２で受信されたワンセグ放送のNITにマルチセグメント情報記述子（詳細は後述する）等が付加されたものが、ワンセグ再放送のNITとして送信される。一方、中央外セグメントｓ１，ｓ２，・・・，ｓ１２，ｓ１３では、１セグ再送信局３２で受信されたワンセグ放送のNITそのものがワンセグ再放送のNITとして送信される。
【００５７】
１セグ再送信局３２で受信されるワンセグ放送のNITは、ネットワークＩＤ、ワンセグ放送のＴＳに関する情報（以下、ＴＳ情報という）などにより構成される。ＴＳ情報は、ワンセグ放送のＴＳのＴＳＩＤ、周波数、サービスＩＤ等により構成される。
【００５８】
以上のように、マルチセグメント放送としてのワンセグ再放送の中央セグメントのNITは、ワンセグ放送のNITにマルチセグメント情報記述子等が付加されたものである。従って、マルチセグメント情報記述子は、それを送信する中央セグメントがマルチセグメント放送のセグメントであることを示す情報であるといえる。
【００５９】
図１０は、NITのデータ構造を示す図である。
【００６０】
図１０に示すように、NITには、先頭から順に、8ビットのテーブルＩＤ(table_id)、1ビットのセクションシンタックスインジケータ（section_syntax_indicator）、1ビットの未来使用領域(reserved_future_use)が配置される。テーブルＩＤとしては、例えば0x40が記述される。
【００６１】
また、未来使用領域の後には、2ビットの空き領域(reserved)、12ビットのセクション長（section_length）、16ビットのネットワークＩＤ(network_ＩＤ)、2ビットの空き領域(reserved)、5ビットのバージョン番号（version_number）が順に配置される。その後、１ビットのカレントネクストインジケータ（current_next_indicator）、 8ビットのセクション番号（section_number）、8ビットの最終セクション番号（last_section_number）、4ビットの未来使用領域が順に配置される。
【００６２】
次に、12ビットのネットワークディスクリプタ長（network_descriptor_length）、4ビットのネットワークループが順に配置される。ネットワークループには、ネットワーク名ディスクリプタ（network_name_descriptor）、システムマネジメントディスクリプタ（system_management_descriptor）などのディスクリプタが、前段に記述されているネットワークＩＤごとに配置される。ネットワーク名ディスクリプタには、ネットワーク名が記述され、システムマネジメントディスクリプタには、ネットワークが放送ネットワークであるか通信ネットワークであるかを示す情報が記述される。
【００６３】
ネットワークループの後には、12ビットの未来使用領域、ＴＳループ長（transport_stream_loop_length）、ＴＳループ、32ビットのCRC（Cyclic Redundancy Check）32値（CRC_32）が順に配置される。ＴＳループには、ＴＳごとに、サービスリストディスクリプタ（service_list_descriptor）、地上波システムディスクリプタ（terrestrial_delivery_system_descriptor）などが記述される。サービスリストディスクリプタには、放送サービスを特定する情報であるサービスＩＤ、および、放送サービスのタイプ（テレビジョン放送、ラジオ放送など）を示すサービスタイプが記述され、地上波システムディスクリプタには、選局情報が記述される。
【００６４】
なお、ワンセグ再放送の中央セグメントのNITでは、元となるワンセグ放送のNITのＴＳループ内のディスクリプタに記述される最低７バイトの固定端末向け放送に関する情報（以下、固定端末向け放送情報という）が削除される。そして、固定端末向け放送情報の情報量の範囲内で、マルチセグメント情報記述子が記述されるマルチセグメント情報ディスクリプタ（multi_segment_info_descriptor）が配置される。
【００６５】
このように、マルチセグメント情報記述子は、固定端末向け放送情報の情報量の範囲内で記述される。従って、ワンセグ再放送のＴＳのパケット数は、元となるワンセグ放送のＴＳのパケット数と同一となる。即ち、NITの変更によるパケット数の増加はない。その結果、NITの変更に伴ってＴＳの他の情報を変更する必要がなく、１セグ再送信局３２の機能が複雑になることを防止することができる。
【００６６】
［マルチセグメント情報ディスクリプタの説明］
図１１は、マルチセグメント情報ディスクリプタの記述例を示す図である。
【００６７】
図１１に示すように、マルチセグメント情報ディスクリプタに記述されるマルチセグメント情報記述子は、8ビットのディスクリプタタグ（descriptor_tag）、8ビットのディスクリプタ長（descriptor_length）、4ビットのマルチセグメントモード（multi_segment_mode）、4ビットの空き領域（reserved）、および16×Nビットのマルチセグメントビットマップ（multi_segment_bitmap）により構成される。
【００６８】
マルチセグメントモードは、マルチセグメント放送のセグメントの周波数の間隔（以下、セグメント間隔という）を示すモードである。
【００６９】
図１２は、マルチセグメントモードの例を示す図である。
【００７０】
図１２のマルチセグメントモードでは、図１２のＡに示すように、モード１が、セグメント間隔Δｆ１を示している。この場合、マルチセグメント放送の全セグメント数は１３セグメントとなる。そして、例えば、マルチセグメント放送の１０番目の周波数Ｆ１０は、中央セグメント、即ち７番目のセグメントの周波数Ｆ７をfcenterとすると、Ｆ１０＝fcenter＋３Δｆ１となる。  
【００７１】
また、図１２のマルチセグメントモードでは、図１２のＢに示すように、モード２が、セグメント間隔Δｆ２を示している。この場合、マルチセグメント放送の全セグメント数は１１セグメントとなる。そして、例えば、マルチセグメント放送の２番目の周波数Ｆ２は、中央セグメント、即ち６番目のセグメントの周波数Ｆ６をfcenterとすると、Ｆ２＝fcenter−４Δｆ２となる。
【００７２】
図１３は、マルチセグメントビットマップの構成例を示す図である。
【００７３】
図１３のマルチセグメントビットマップは、マルチセグメント配置情報（Multi_segment_layout）、連結情報（Segment_Connection_Group）、および１セグ再送信指示情報（1Seg_Redistribution_Indication）を表現する16ビット単位のビットマップにより構成される。このようにビットマップを用いて情報を表現することにより、情報量を最小限に抑えることができる。
【００７４】
マルチセグメント配置情報（レイアウト情報）は、マルチセグメント放送で用いられるセグメント（以下、放送セグメントという）、即ちマルチセグメント放送が割り当てられた物理チャンネル内の運用セグメントの配置を示す情報である。
【００７５】
具体的には、マルチセグメント配置情報を表現する16ビット単位のビットマップのうち、上位１３ビットの各ビットが、マルチセグメント放送が割り当てられた物理チャンネルの各セグメントに対応する。そして、例えば、ビットが「１」である場合、そのビットに対応するセグメントが放送セグメントであることを示し、ビットが「０」である場合、そのビットに対応するセグメントが放送セグメントではないことを示す。
【００７６】
下位３ビットは、それを含むビットマップがマルチセグメント配置情報を表現するビットマップであることを示す情報を表現するためのビットである。図１３の例では、「０００」で、ビットマップがマルチセグメント配置情報を表現するビットマップであることが示されている。
【００７７】
以上のように、マルチセグメント配置情報は、放送セグメントの配置を示す情報であるので、受信端末３３は、マルチセグメント配置情報から、放送セグメントがマルチセグメント放送の物理チャンネル内の何番目のセグメントであるかを認識することができる。また、受信端末３３は、マルチセグメント放送の中央セグメントの周波数fcenterを予め認識している。従って、受信端末３３は、図１２で説明したように、放送セグメントの周波数を計算することができる。
【００７８】
連結情報は、同一の１セグ再送信局３２によるワンセグ再放送の送信に用いられる放送セグメントの配置を示す情報であり、１セグ再送信局３２ごとに記述される。
【００７９】
具体的には、連結情報を表現する16ビット単位のビットマップのうち、上位１３ビットの各ビットが、マルチセグメント放送が割り当てられた物理チャンネルの各セグメントに対応する。そして、例えば、ビットが「１」である場合、そのビットに対応する放送セグメントが、他の「１」のビットに対応する放送セグメントと同一の１セグ再送信局３２から送信されることを示す。一方、ビットが「０」である場合、そのビットに対応する放送セグメントが、「１」のビットに対応する放送セグメントと異なる１セグ再送信局３２から送信されることを示す。
【００８０】
下位３ビットは、それを含むビットマップが連結情報を表現するビットマップであることを示す情報を表現するためのビットである。図１３の例では、「００１」で、ビットマップが連結情報を表現するビットマップであることが示されている。
【００８１】
以上のように表現される連結情報により、受信端末３３において選局に要する時間を短縮することができる。具体的には、同一の１セグ再送信局３２から送信されるＴＳは、OFDM（Orthogonal Frequency Division Multiplexing）同期がとれている。従って、受信端末３３は、同一の１セグ再送信局３２による送信に用いられる放送セグメントを連続して選局することにより、選局時のOFDM同期処理を省略し、選局に要する時間を短縮することができる。
【００８２】
図４の送受信システム３０では、図１４に示すように、１つの１セグ再送信局３２が、全ての放送セグメント分のワンセグ再放送のＴＳを送信するため、放送セグメントをどのような順番で選局しても、選局に要する時間は短い。
【００８３】
しかしながら、送受信システム３０のワンセグ再放送の送信形態としては、図１５に示すように、放送セグメントごとに異なる１セグ再送信局からワンセグ再放送のＴＳを送信する分散型も考えられる。図１５の例では、３つの１セグ再送信局５１−１乃至５１−３が、それぞれ、１つの放送セグメント分のワンセグ再放送のＴＳを送信する。
【００８４】
また、送受信システム３０のワンセグ再放送の送信形態としては、図１６に示すように、１つの１セグ再送信局３２で全ての放送セグメント分のワンセグ再放送のＴＳを送信する集中型と分散型のハイブリッドの送信形態（以下、ハイブリッド型という）も考えられる。図１６の例では、１つの１セグ再送信局６１−１が、３つの放送セグメント分のワンセグ再放送のＴＳを送信し、２つの１セグ再送信局６１−２，６１−３が、それぞれ、１つの放送セグメント分のワンセグ再放送のＴＳを送信する。
【００８５】
このように、送信形態が分散型やハイブリッド型である場合、放送セグメントの選局順によって選局に要する時間は異なる。具体的には、同一の１セグ再送信局で送信に用いられる放送セグメントが連続して選局される場合、OFDM同期が省略され、選局に要する時間は短くなる。しかしながら、異なる１セグ再送信局で送信に用いられる放送セグメントが連続して選局される場合、OFDM同期が行われるため、選局に要する時間は長くなる。
【００８６】
従って、送受信システム３０では、１セグ再送信局３２が連結情報を送信し、受信端末３３が、その連結情報に基づいて選局順を制御することにより、選局に要する時間を短縮する。例えば、図１７に示すように、連結情報が、６乃至８番目のセグメントが同一の１セグ再送信局の放送セグメントであることを示している場合、受信端末３３は、８番目のセグメントの選局を、６番目のセグメントの選局の後に行う。これにより、異なる１セグ再送信局の放送セグメント（例えば、４番目のセグメント）の後に選局を行う場合に比べて、より短時間で８番目の選局を行うことが可能になる。
【００８７】
図１３に戻って、１セグ再送信指示情報（再送情報）は、放送セグメントのうちのワンセグ再放送に用いられるセグメントの配置を示す情報である。
【００８８】
具体的には、１セグ再送信指示情報を表現する16ビット単位のビットマップのうち、上位１３ビットの各ビットが、マルチセグメント放送が割り当てられた物理チャンネルの各セグメントに対応する。そして、例えば、ビットが「１」である場合、そのビットに対応する放送セグメントが、ワンセグ再放送の放送セグメントであることを示す。一方、ビットが「０」である場合、そのビットに対応する放送セグメントが、ワンセグ再放送以外の放送の放送セグメントであることを示す。
【００８９】
なお、送受信システム３０では、マルチセグメント放送として送信される放送は全てワンセグ再放送であるので、１セグ再送信指示情報のビットマップの上位１３ビットは、マルチセグメント配置情報のビットマップの上位１３ビットと同一となる。
【００９０】
１セグ再送信指示情報のビットマップの下位３ビットは、そのビットマップが１セグ再送信指示情報を表現するビットマップであることを示す情報を表現するためのビットである。図１３の例では、「０１０」で、ビットマップが１セグ再送信指示情報を表現するビットマップであることが示されている。
【００９１】
なお、削除される固定端末向け放送情報の情報量が少ない場合、マルチセグメントビットマップには、連結情報やマルチセグメント配置情報のビットマップが含まれなくてもよい。
【００９２】
また、削除される固定端末向け放送情報の情報量が多く、固定端末向け放送情報の情報量の範囲内で、マルチセグメント情報ディスクリプタ以外のディスクリプタも配置することができる場合、１セグ再送信情報ディスクリプタを配置するようにしてもよい。
【００９３】
［１セグ再送信情報ディスクリプタの説明］
図１８は、１セグ再送信情報ディスクリプタの詳細構成例を示す図である。
【００９４】
図１８に示すように、１セグ再送信情報ディスクリプタ（one_seg_redistribution_info_descriptor）には、８ビットのディスクリプタタグ（descriptor_tag）、８ビットのディスクリプタ長（descriptor_length）、８ビットのＴＳ番号（no_of_ts）、および16×Nビットの地上デジタル放送のネットワークＩＤ（terrestrial_network_id）が記述される。
【００９５】
ＴＳ番号は、この１セグ再送信情報ディスクリプタが配置される中央セグメントを含む物理チャンネルのマルチセグメント放送のＴＳＩＤである。また、ネットワークＩＤとしては、放送セグメントの周波数の低い順に、その放送セグメントのワンセグ再放送の元のワンセグ放送を特定する情報としてのネットワークＩＤが記述される。
【００９６】
［１セグ再送信局の処理の説明］
図１９は、１セグ再送信局３２の送信処理を説明するフローチャートである。
【００９７】
ステップＳ３１において、１セグチューナ４２は、地上波放送局３１から送信され、受信アンテナ４１を介して受信される地上波デジタル放送の所定の中央セグメントを選局し、その中央セグメントのワンセグ放送のＴＳを信号変換部４３に供給する。
【００９８】
ステップＳ３２において、信号変換部４３は、１セグチューナ４２から供給されるＴＳが中央セグメントで送信するＴＳであるかどうかを判定する。ステップＳ３２で、中央セグメントで送信するＴＳであると判定された場合、ステップＳ３３において、信号変換部４３は、１セグチューナ４２から供給されるＴＳのNITを変更する。
【００９９】
具体的には、信号変換部４３は、NITの固定端末向け放送情報を削除し、その固定端末向け放送情報の情報量の範囲内で、マルチセグメント情報ディスクリプタ、または、マルチセグメント情報ディスクリプタおよび１セグ再送信情報ディスクリプタを配置する。そして、信号変換部４３は、NITが変更されたＴＳをマルチセグメント送出部４４に供給し、処理をステップＳ３４に進める。
【０１００】
一方、ステップＳ３２で、中央セグメントで送信するＴＳではないと判定された場合、信号変換部４３は、そのＴＳをそのままマルチセグメント送出部４４に供給し、処理をステップＳ３４に進める。
【０１０１】
ステップＳ３４において、マルチセグメント送出部４４は、信号変換部４３から供給されるＴＳを所定のセグメントで送信アンテナ４５を介して送信する。具体的には、マルチセグメント送出部４４は、ステップＳ３３でNITが変更されたＴＳを中央セグメントで送信し、NITが変更されていないＴＳを中央外セグメントで送信する。そして、処理は終了する。
【０１０２】
[受信端末の詳細構成例]
図２０は、図４の受信端末３３の詳細構成例を示すブロック図である。
【０１０３】
図２０において、受信端末３３は、アンテナ７１、チューナ７２、デマルチプレクサ７３、ビデオデコーダ７４、選択部７５、表示部７６、オーディオデコーダ７７、スピーカ７８、ブラウザ７９、および制御部８０により構成される。
【０１０４】
チューナ７２は、制御部８０から供給される選局情報に基づいて選局を行い、所定の論理チャンネルのワンセグ再放送のＴＳを、アンテナ７１を介して、１セグ再送信局３２から受信する。チューナ７２は、受信されたＴＳをデマルチプレクサ７３に供給する。
【０１０５】
デマルチプレクサ７３は、チューナ７２から供給されるＴＳを、ビデオデータ、オーディオデータ、ワンセグ放送においてブラウザを用いた表示を行うための表示制御情報、PSI(Program Specific Information)の各情報等に分離する。なお、PSIとは、NIT,PMT（Program Map Table）,PAT（Program Association Table）等の放送サービスを受信するための情報、周波数情報、放送サービスに対応するパケットを特定する情報等を含むテーブルの総称であり、システムの制御情報である。デマルチプレクサ７３は、ビデオデータをビデオデコーダ７４に供給し、オーディオデータをオーディオデコーダ７７に供給する。また、デマルチプレクサ７３は、表示制御情報をブラウザ７９に供給し、PSIの各情報等を制御部８０に供給する。
【０１０６】
ビデオデコーダ７４は、制御部８０の制御にしたがって、デマルチプレクサ７３から供給されるビデオデータを、地上波放送局３１におけるエンコードに対応する方式でデコードし、選択部７５に供給する。
【０１０７】
選択部７５は、制御部８０の制御にしたがって、ビデオデコーダ７４から供給されるビデオデータまたはブラウザ７９から供給されるビデオデータを選択し、表示部７６に供給する。表示部７６は、選択部７５から供給されるビデオデータに基づいて、ワンセグ放送またはワンセグ再放送の画像を表示する。
【０１０８】
オーディオデコーダ７７は、制御部８０の制御にしたがって、デマルチプレクサ７３から供給されるオーディオデータを、地上波放送局３１におけるエンコードに対応する方式でデコードし、スピーカ７８に供給する。スピーカ７８は、オーディオデコーダ７７からのオーディオデータに対応する音声を、ワンセグ放送またはワンセグ再放送の音声として出力する。
【０１０９】
ブラウザ７９は、デマルチプレクサ７３から供給される表示制御情報を解釈して、ビデオデータを生成し、選択部７５に供給する。
【０１１０】
制御部８０は、地上波デジタル放送波の各物理チャンネルの中央セグメントの選局情報を順にチューナ７２に供給する。また、制御部８０は、ワンセグ再放送の中央セグメントのNITと周波数fcenterに基づいて、中央セグメント以外の放送セグメントの周波数を計算する。そして、制御部８０は、計算された周波数を、連結情報に基づく順番で選局情報としてチューナ７２に供給する。
【０１１１】
さらに、制御部８０は、デマルチプレクサ７３から供給されるワンセグ放送のNITおよびSDT、または、ワンセグ再放送の中央セグメントのNIT、ワンセグ再放送の放送セグメントのSDT、周波数fcenter、および計算された周波数に基づいて、選局テーブルを生成する。そして、制御部８０は、生成された選局テーブルを内蔵するメモリ(図示せず)に記憶する。
【０１１２】
また、制御部８０は、ユーザからの指令に応じて、選局テーブルに登録されているサービス名をブラウザ７９に供給し、そのサービス名を表示部７６に表示させる。ユーザは、表示部７６に表示されたサービス名を見て、視聴対象とする放送サービスのサービス名を選択指示する。制御部８０は、この選択指示に基づいて、選局テーブルから視聴対象のサービス名に対応する選局情報を読み出し、その選局情報をチューナ７２に供給する。
【０１１３】
また、制御部８０は、デマルチプレクサ７３から供給されるPSIの各情報に基づいて、ビデオデコーダ７４、選択部７５、オーディオデコーダ７７、およびブラウザ７９を制御する。具体的には、制御部８０は、例えば、ビデオデコーダ７４から出力されるビデオデータとオーディオデコーダ７７から出力されるオーディオデータの同期をとるように、ビデオデコーダ７４とオーディオデコーダ７７を制御する。
【０１１４】
[選局テーブルの作成方法]
図２１は、受信端末３３による選局テーブルの作成方法について説明する図である。
【０１１５】
図２１に示すように、受信端末３３は、地上波デジタル放送波の各物理チャンネルの中央セグメントを、周波数の低い方から順にスキャンする。具体的には、受信端末３３のチューナ７２が、周波数の低い方から順に各物理チャンネルの中央セグメントを選局し、その中央セグメントのＴＳを取得する。
【０１１６】
これにより、まず、地上波デジタル放送が割り当てられた物理チャンネルの中央セグメント９１のＴＳから、その中央セグメント９１で放送されるワンセグ放送のNIT，SDTが取得される。中央セグメント９１は、地上波デジタル放送のセグメントであるので、中央セグメント９１のNITには、マルチセグメント情報記述子は記述されていない。従って、選局対象は、次の物理チャンネルの中央セグメントに移行する。
【０１１７】
そして、図２１の例では、次の物理チャンネルの中央セグメントにはＴＳが存在しないため、選局対象は、さらに次の物理チャンネルの中央セグメント９２−１に移行する。その結果、中央セグメント９２−１のＴＳから、中央セグメント９２−１の放送のNIT,SDTが取得される。
【０１１８】
図２１の例では、中央セグメント９２−１は、ワンセグ再放送が割り当てられた物理チャンネルの中央セグメントであるため、中央セグメント９２−１のNITには、マルチセグメント情報記述子が記述されている。従って、このマルチセグメント情報記述子のマルチセグメント配置情報およびモード情報並びに周波数fcenterを用いて、中央セグメント９２−１以外の放送セグメント９２−２乃至９２−５の周波数が計算される。
【０１１９】
そして、計算された周波数と連結情報に基づいて、同一の１セグ再送信局３２の放送セグメントが連続するように、中央セグメント９２−１以外の放送セグメント９２−２乃至９２−５が順に選局対象とされる。これにより、中央セグメント９２−１以外の放送セグメント９２−２乃至９２−５で放送されるワンセグ再放送のSDTが取得される。
【０１２０】
その後、次の物理チャンネルの中央セグメント９３が選局対象とされる。以降も同様にして地上波デジタル放送波の全物理チャンネルにおいて選局が行われる。
【０１２１】
そして、ワンセグ放送のNITおよびSDT、または、ワンセグ再放送の中央セグメントのNIT、ワンセグ再放送の放送セグメントのSDT、周波数fcenter、および計算された周波数に基づいて選局テーブルが作成される。
【０１２２】
なお、図２１の例では、中央セグメント９２−１以外の放送セグメント９２−２乃至９２−５も選局したが、中央セグメント９２−１のNITに１セグ再送信情報ディスクリプタが配置されている場合には、放送セグメント９２−２乃至９２−５を選局しなくてもよい。この場合、１セグ再送信情報ディスクリプタに記述されるＴＳＩＤに基づいて、既に受信されているワンセグ再放送の元のワンセグ放送のSDTが取得され、選局テーブルの作成に利用される。
【０１２３】
また、中央セグメント９２−１のNITにマルチセグメント配置情報のビットマップが含まれない場合には、受信端末３３は、放送セグメント９２−２乃至９２−５を認識できないので、中央セグメント９２−１と全ての中央外セグメントを選局する。これにより、受信端末３３は、中央セグメント以外の放送セグメントの選局情報を認識することができる。
【０１２４】
図２２は、送受信システム３０における地上波デジタル放送波を受信する従来のワンセグ再放送に対応していない受信端末９５と受信端末３３について説明する図である。
【０１２５】
従来の受信端末９５は、一般的に、受信端末３３と同様に、各物理チャンネルの中央セグメントを、周波数の低い方から順にスキャンして、選局テーブルを作成する。しかしながら、受信端末９５は、ワンセグ再放送に対応していないため、ワンセグ再放送が割り当てられた物理チャンネルの中央セグメントのＴＳに配置されるNITのマルチセグメント情報記述子は無視する。従って、受信端末９５は、誤動作を起こさないが、中央セグメント以外の放送セグメントを選局することはできない。
【０１２６】
よって、受信端末９５が送受信システム３０における地上波デジタル放送波を受信する場合、図２２に示すように、地上波デジタル放送波の各中央セグメントのワンセグ放送およびワンセグ再放送のNITやSDTから、選局テーブルが作成される。
【０１２７】
これに対して、受信端末３３は、ワンセグ再放送に対応しており、ワンセグ再放送が割り当てられた物理チャンネルの中央セグメントのＴＳに配置されるNITのマルチセグメント情報記述子を認識し、中央セグメント以外の放送セグメントを選局することができる。その結果、受信端末３３では、地上波デジタル放送波の全てのワンセグ放送およびワンセグ再放送のNITやSDTから、選局テーブルが作成される。
【０１２８】
以上のように、従来の受信端末９５が送受信システム３０における地上波デジタル放送波を受信する場合、受信端末９５は、ワンセグ再放送に対応していないため、中央外セグメントのワンセグ再放送の選局情報を選局テーブルに登録することはできない。しかしながら、従来の受信端末９５でも、地上波放送局３１から送信されるワンセグ放送の選局情報を取得することはできる。従って、本発明の地上波デジタル放送波は、従来の受信端末９５によるワンセグ放送の受信を妨害しない。
【０１２９】
［選局テーブルの構成例］
図２３は、受信端末３３により作成された選局テーブルの例を示す図である。
【０１３０】
図２３の例では、ワンセグ再放送が割り当てられた物理チャンネルの３番目乃至１０番目のセグメントが放送セグメントとされ、モード情報がモード２となっている。なお、モード２は、図１２で示したように、セグメント間隔がΔｆ２であることを示し、モード２の１つの物理チャンネルは、１１セグメントで構成される。
【０１３１】
このような場合、まず、中央セグメントである６番目のセグメントが選局され、マルチセグメント情報記述子が認識される。そして、このマルチセグメント情報記述子として記述されているモード情報およびマルチセグメント配置情報並びに周波数fcenterに基づいて、中央セグメント以外の放送セグメントの周波数が計算される。
【０１３２】
具体的には、放送セグメントであるｋ番目のセグメントの周波数をＦｋとし、モードｍのセグメント間隔をΔｆｍとし、中央セグメントからｋ番目のセグメントまでのセグメント数をＮとしたときの、式Ｆｋ＝fcenter±Δｆｍ×Ｎを用いて周波数Ｆｋが計算される。
【０１３３】
なお、この計算で用いられる中央セグメントの周波数fcenterは、中央セグメントのNITに記述されている周波数ではなく、実際に受信端末３３で中央セグメントの選局に用いた周波数である。周波数fcenterとして中央セグメントのNITに記述されている周波数を用いない理由は、中央セグメントのNITに記述されている周波数は、ワンセグ再放送の元となるワンセグ放送の周波数のままであるためである。
【０１３４】
以上のようにして放送セグメントの周波数が計算されると、その放送セグメントの周波数に基づいて、連結情報に基づく順番で中央セグメント以外の放送セグメントが選局され、各放送セグメントのSDTが取得される。これにより、選局テーブルに、各放送セグメントのSDTに含まれるサービス名と、周波数fcenterまたは計算された周波数とが登録される。
【０１３５】
また、選局テーブルには、マルチセグメント情報記述子の連結情報に基づいて、各放送セグメントの連結グループの番号も登録される。この連結グループの番号は、各放送セグメントの送信元に対応するものであり、送信元が同一の放送セグメントには、同一の番号が付与される。図２３の例では、全ての放送セグメントのＴＳが同一の1セグ再送信局３２から送信されており、全ての放送セグメントに対して、同一の連結グループの番号「Ｇ１」が登録されている。
【０１３６】
[受信端末の処理の説明]
図２４は、受信端末３３による選局テーブル作成処理のフローチャートである。この選局テーブル作成処理は、例えば、ユーザにより選局テーブルの取得が指示されたとき開始される。
【０１３７】
ステップＳ５１において、制御部８０は、所定の物理チャンネル（例えば、最も周波数の低い物理チャンネル）を、処理の対象とする対象物理チャンネルとする。そして、制御部８０は、対象物理チャンネルの中央セグメントの周波数を選局情報としてチューナ７２に供給する。
【０１３８】
ステップＳ５２において、チューナ７２は、制御部８０からの選局情報に基づいて、対象物理チャンネルの中央セグメントを選局する。
【０１３９】
ステップＳ５３において、チューナ７２は、対象物理チャンネルの中央セグメントのＴＳが受信されたかどうかを判定し、受信されたと判定した場合、処理をステップＳ５４に進める。
【０１４０】
ステップＳ５４において、デマルチプレクサ７３は、チューナ７２により受信された対象物理チャンネルの中央セグメントのＴＳから、NITとSDTを分離し、取得する。そして、デマルチプレクサ７３は、そのNITとSDTを制御部８０に供給する。
【０１４１】
ステップＳ５５において、制御部８０は、受信されたＴＳがマルチセグメント放送の中央セグメントのＴＳであるかどうか、即ちデマルチプレクサ７３から供給されるNITにマルチセグメント情報記述子が含まれているかどうかを判定する。
【０１４２】
ステップＳ５５で、受信されたＴＳがマルチセグメント放送の中央セグメントのＴＳであると判定された場合、処理はステップＳ５６に進む。ステップＳ５６において、制御部８０は、その中央セグメントのNITに含まれるマルチセグメント情報記述子のモード情報およびマルチセグメント配置情報並びに周波数fcenterに基づいて、中央セグメント以外の放送セグメントの周波数を計算する。そして、制御部８０は、計算された周波数を、連結情報に基づく順番で選局情報としてチューナ７２に供給する。
【０１４３】
ステップＳ５７において、チューナ７２は、制御部８０からの選局情報に基づいて、対象物理チャンネルの中央セグメント以外の放送セグメントを選局する。ステップＳ５８において、デマルチプレクサ７３は、チューナ７２により受信された対象物理チャンネルの中央セグメント以外の放送セグメントのＴＳからSDTを分離し、取得する。そして、デマルチプレクサ７３は、そのSDTを制御部８０に供給し、処理をステップＳ５９に進める。
【０１４４】
一方、ステップＳ５３で対象物理チャンネルの中央セグメントのＴＳが受信されていないと判定された場合、または、ステップＳ５５で受信されたＴＳがマルチセグメント放送の中央セグメントのＴＳではないと判定された場合、処理はステップＳ５９に進む。
【０１４５】
ステップＳ５９において、制御部８０は、全ての物理チャンネルを対象物理チャンネルとしたかどうかを判定する。ステップＳ５９で全ての物理チャンネルを対象物理チャンネルとしていないと判定された場合、ステップＳ６０において、制御部８０は、次の物理チャンネル（例えば、周波数が次に高い物理チャンネル）を対象物理チャンネルとして、処理ステップＳ５２に戻す。そして、全ての物理チャンネルを対象物理チャンネルとするまで、ステップＳ５２乃至Ｓ６０の処理が繰り返される。
【０１４６】
一方、ステップＳ５９で全ての物理チャンネルを対象物理チャンネルとしたと判定された場合、処理はステップＳ６１に進む。
【０１４７】
ステップＳ６１において、制御部８０は、ワンセグ放送のNITおよびSDT、または、中央セグメントのワンセグ再放送のNIT、放送セグメントのワンセグ再放送のSDT、周波数fcenter、およびステップＳ５６で計算された周波数に基づいて選局テーブルを作成する。そして、制御部８０は、作成された選局テーブルを内蔵するメモリに記憶し、処理を終了する。
【０１４８】
以上のように、１セグ再送信局３２は、ワンセグ放送のNITとマルチセグメント情報記述子を含む、ワンセグ再放送の中央セグメントのNITを生成し、そのNITをワンセグ再放送の中央セグメントで送信する。そして、受信端末３３は、各物理チャンネルの中央セグメントのＴＳを受信し、そのＴＳに含まれるマルチセグメント情報記述子に応じて、その中央セグメントがマルチセグメント放送のセグメントであるかどうかを認識し、選局を制御する。これにより、全てのワンセグ再放送の選局情報を認識することができる。
【０１４９】
なお、上述した説明では、選局テーブルにSDTに基づくサービス名が登録されるようにしたが、選局テーブルには、サービス名が登録されなくてもよい。この場合、中央セグメント以外の放送セグメントを選局する必要はない。
【０１５０】
また、１セグ再送信局３２の信号変換部４３は、中央セグメントで送信するNITにマルチセグメント情報ディスクリプタなどを配置するだけでなく、そのNITに記述されるワンセグ放送の周波数を、中央セグメントの周波数に変更するようにしてもよい。この場合、周波数fcenterとして、ワンセグ再放送の中央セグメントのNITに記述される周波数を用いることができる。
【０１５１】
＜第２実施の形態＞
［送受信システムの第２実施の形態の構成例］
図２５は、本発明を適用した送受信システムの第２実施の形態の構成例を示す図である。
【０１５２】
図２５の送受信システム１００は、地上波放送局３１、コミュニティ放送局１０１−１乃至１０１−３、および受信端末１０２により構成される。なお、図４と同一のものには同一の符号を付してあり、説明は繰り返しになるので省略する。
【０１５３】
図２５の送受信システム１００は、地上波デジタル放送波の空きチャンネルを利用して、ワンセグ再放送ではなく、多チャンネルコミュニティ放送をマルチセグメント放送として送信する。
【０１５４】
なお、多チャンネルコミュニティ放送とは、限定された地域で複数の論理チャンネルを利用して多面的に行われる１セグメント単位の放送である。多チャンネルコミュニティ放送としては、例えば、テーマパークでのみ受信可能な、そのテーマパークに関する放送などがある。以下では、多チャンネルコミュニティ放送を、単にコミュニティ放送という。
【０１５５】
送受信システム１００のコミュニティ放送局１０１−１は、地上波デジタル放送波の空きチャンネルで、サービスエリアＡでのみ受信可能なコミュニティ放送をマルチセグメント放送として送信する。
【０１５６】
また、コミュニティ放送局１０１−２は、地上波デジタル放送波の空きチャンネルで、サービスエリアＢでのみ受信可能なコミュニティ放送をマルチセグメント放送として送信する。さらに、コミュニティ放送局１０１−３は、地上波デジタル放送波の空きチャンネルで、サービスエリアＣでのみ受信可能なコミュニティ放送をマルチセグメント放送として送信する。
【０１５７】
図２５の例では、サービスエリアＡがサービスエリアＢおよびＣを含んでいる。即ち、コミュニティ放送局１０１−１が所定の地区をサービスエリアＡとする中心局であり、コミュニティ放送局１０１−２，１０１−３が、それぞれ、その地区内の建物やアミューズメントパークなどをサービスエリアＢ，Ｃとするローカル局である。
【０１５８】
従って、このような場合、受信可能な地域が広範囲な中心局（コミュニティ放送局１０１−１）のコミュニティ放送の重要度が、ローカル局（コミュニティ放送局１０１−２,１０１−３）のコミュニティ放送に比べて高いことは明らかである。
【０１５９】
そこで、送受信システム１００では、中央局としてのコミュニティ放送局１０１−１のコミュニティ放送が中央のセグメントに割り当てられ、これにより、重要度の高いコミュニティ放送が、より確実に受信端末１０２で受信されるようにする。
【０１６０】
なお、図２５の送受信システム１００のようにコミュニティ放送の重要度が明らかではない場合、空きチャンネル内のコミュニティ放送の帯域の割り当ては、特に規定する必要はない。
【０１６１】
受信端末１０２は、ワンセグ放送およびコミュニティ放送を受信可能な携帯端末である。従って、図２５に示すように、受信端末１０２を所持したユーザがサービスエリアＡにいる場合、受信端末１０２は、ワンセグ放送とコミュニティ放送局１０１−１乃至１０１−３によるコミュニティ放送を受信することができる。
【０１６２】
なお、以下では、コミュニティ放送局１０１−１乃至１０１−３を特に区別する必要が無い場合、それらをまとめてコミュニティ放送局１０１という。以下、マルチセグメント放送の一例として、コミュニティ放送で説明を進める。
【０１６３】
［コミュニティ放送局の詳細構成例］
図２６は、コミュニティ放送局１０１の詳細構成例を示すブロック図である。
【０１６４】
図２６のコミュニティ放送局１０１は、関連情報生成部１２１、ビデオデータ取得部１２２、ビデオエンコーダ１２３、オーディオデータ取得部１２４、オーディオエンコーダ１２５、マルチプレクサ１２６、送信部１２７、およびアンテナ１２８により構成される。
【０１６５】
関連情報生成部１２１は、コミュニティ放送のNIT，SDT等を含むPSI、表示制御情報等を関連情報として生成し、マルチプレクサ１２６に供給する。なお、中央セグメントで送信されるコミュニティ放送のNITには、マルチセグメント情報記述子が記述されている。
【０１６６】
ビデオデータ取得部１２２は、図示せぬ内蔵するHDD（Hard Disk Drive）や、外部のサーバなどから、コミュニティ放送のビデオデータを取得し、ビデオエンコーダ１２３に供給する。
【０１６７】
ビデオエンコーダ１２３は、ビデオデータ取得部１２２から供給されるビデオデータを、MPEG2（Moving Picture Experts Group phase 2）等の符号化方式に準拠して符号化し、マルチプレクサ１２６に供給する。
【０１６８】
オーディオデータ取得部１２４は、図示せぬ内蔵するHDDや、外部のサーバなどから、コミュニティ放送のオーディオデータを取得し、オーディオエンコーダ１２５に供給する。
【０１６９】
オーディオエンコーダ１２５は、オーディオデータ取得部１２４から供給されるオーディオデータを、MPEG2等の符号化方式に準拠して符号化し、マルチプレクサ１２６に供給する。
【０１７０】
マルチプレクサ１２６は、関連情報生成部１２１からの関連情報、ビデオエンコーダ１２３からのビデオデータ、およびオーディオエンコーダ１２５からのオーディオデータを多重化してＴＳを生成し、送信部１２７に供給する。
【０１７１】
送信部１２７は、マルチプレクサ１２６から供給されるＴＳを、所定のセグメントでアンテナ１２８を介して送信する。
【０１７２】
［コミュニティ放送局の処理の説明］
図２７は、コミュニティ放送局１０１の送信処理を説明するフローチャートである。
【０１７３】
ステップＳ７１において、関連情報生成部１２１は、コミュニティ放送のPSI、表示制御情報等を関連情報として生成し、マルチプレクサ１２６に供給する。
【０１７４】
ステップＳ７２において、ビデオデータ取得部１２２は、図示せぬ内蔵するHDDや、外部のサーバなどから、コミュニティ放送のビデオデータを取得し、ビデオエンコーダ１２３に供給する。
【０１７５】
ステップＳ７３において、ビデオエンコーダ１２３は、ビデオデータ取得部１２２から供給されるビデオデータを、MPEG2等の符号化方式に準拠して符号化し、マルチプレクサ１２６に供給する。
【０１７６】
ステップＳ７４において、オーディオデータ取得部１２４は、図示せぬ内蔵するHDDや、外部のサーバなどから、コミュニティ放送のオーディオデータを取得し、オーディオエンコーダ１２５に供給する。
【０１７７】
ステップＳ７５において、オーディオエンコーダ１２５は、オーディオデータ取得部１２４から供給されるオーディオデータを、MPEG2等の符号化方式に準拠して符号化し、マルチプレクサ１２６に供給する。
【０１７８】
ステップＳ７６において、マルチプレクサ１２６は、関連情報生成部１２１からの関連情報、ビデオエンコーダ１２３からのビデオデータ、およびオーディオエンコーダ１２５からのオーディオデータを多重化してＴＳを生成する。
【０１７９】
具体的には、マルチプレクサ１２６は、マルチセグメント情報記述子が記述されるNITを含むＴＳを、中央セグメントのＴＳとして生成する。また、マルチプレクサ１２６は、マルチセグメント情報記述子が記述されないNITを含むＴＳを、中央外セグメントのＴＳとして生成する。そして、マルチプレクサ１２６は、生成されたＴＳを送信部１２７に供給する。
【０１８０】
ステップＳ７７において、送信部１２７は、マルチプレクサ１２６から供給されるＴＳを、所定のセグメントでアンテナ１２８を介して送信し、処理を終了する。
【０１８１】
［受信端末の詳細構成例］
図２８は、図２５の受信端末１０２の詳細構成例を示すブロック図である。
【０１８２】
図２８において、受信端末１０２は、アンテナ７１、チューナ７２、デマルチプレクサ７３、ビデオデコーダ７４、選択部７５、表示部７６、オーディオデコーダ７７、スピーカ７８、ブラウザ７９、および制御部１４１により構成される。なお、図２０と同一のものには同一の符号を付してあり、説明は繰り返しになるので省略する。
【０１８３】
制御部１４１は、図２０の制御部８０と同様に、地上波デジタル放送波の各物理チャンネルの中央セグメントの選局情報を順にチューナ７２に供給する。また、制御部１４１は、コミュニティ放送の中央セグメントのNITに基づいて、中央セグメント以外の放送セグメントの周波数を計算する。そして、制御部１４１は、計算された周波数を、連結情報に基づく順番で選局情報としてチューナ７２に供給する。
【０１８４】
さらに、制御部１４１は、デマルチプレクサ７３から供給されるワンセグ放送のNITおよびSDT、または、コミュニティ放送の中央セグメントのNITおよびSDT並びに計算された周波数に基づいて、選局テーブルを生成し、内蔵するメモリ(図示せず)に記憶する。
【０１８５】
また、制御部１４１は、制御部８０と同様に、ユーザからの指令に応じて、選局テーブルに登録されているサービス名をブラウザ７９に供給し、そのサービス名を表示部７６に表示させる。ユーザは、表示部７６に表示されたサービス名を見て、視聴対象とする放送サービスのサービス名を選択指示する。制御部１４１は、制御部８０と同様に、この選択指示に基づいて、選局テーブルから視聴対象のサービス名に対応する選局情報を読み出し、その選局情報をチューナ７２に供給する。
【０１８６】
また、制御部１４１は、制御部８０と同様に、デマルチプレクサ７３から供給されるPSIの各情報に基づいて、ビデオデコーダ７４、選択部７５、オーディオデコーダ７７、およびブラウザ７９を制御する。
【０１８７】
［選局テーブルの作成方法］
図２９は、受信端末１０２による選局テーブルの作成方法について説明する図である。
【０１８８】
図２９に示すように、受信端末１０２は、受信端末３３と同様に、地上波デジタル放送波の各物理チャンネルの中央セグメントを、周波数の低い方から順にスキャンする。
【０１８９】
これにより、地上波デジタル放送が割り当てられた物理チャンネルの中央セグメント９１，９３のＴＳが取得され、そのＴＳから中央セグメント９１，９３で放送されるワンセグ放送のNIT，SDTが取得される。また、コミュニティ放送が割り当てられた物理チャンネルの中央セグメント９２−１のＴＳが取得され、そのＴＳから中央セグメント９２−１で放送されるコミュニティ放送のNIT，SDTが取得される。
【０１９０】
そして、中央セグメント９２−１のNITに含まれるマルチセグメント情報記述子のマルチセグメント配置情報およびモード情報並びに周波数fcenterに基づいて、中央セグメント９２−１以外の放送セグメント９２−２乃至９２−５の周波数が計算される。そして、ワンセグ放送のNITおよびSDT、または、中央セグメントのコミュニティ放送のNITおよびSDT並びに計算された周波数に基づいて選局テーブルが作成される。
【０１９１】
［選局テーブルの構成例］
図３０は、受信端末１０２により作成された選局テーブルの例を示す図である。
【０１９２】
図３０の例では、コミュニティ放送が割り当てられた物理チャンネルの１,４,６乃至８，１０，１３番目のセグメントが放送セグメントとされ、モード情報がモード１となっている。なお、モード１は、図１２で示したように、セグメント間隔がΔｆ１であることを示し、モード１の１つの物理チャンネルは、１３セグメントで構成される。
【０１９３】
このような場合、まず、中央セグメントである７番目のセグメントが選局され、マルチセグメント情報記述子が認識される。そして、このマルチセグメント情報記述子として記述されているモード情報およびマルチセグメント配置情報、並びに、中央セグメントのNITに含まれる周波数fcenterに基づいて、中央セグメント以外の放送セグメントの周波数が計算される。そして、選局テーブルには、周波数fcenterおよび計算された周波数に対応付けて、中央セグメントのSDTに含まれるサービス名に関連するサービス名が登録される。
【０１９４】
図３０の例では、中央セグメントのSDTに含まれるサービス名「エリアサービス１」に関連するサービス名「エリアサービス１-main」が、中央セグメントのサービス名として、周波数fcenterに対応付けて登録される。また、サービス名「エリアサービス１」に関連するサービス名「エリアサービス１-sub1」等が、中央セグメント以外の放送セグメン
トのサービス名として、計算された周波数に対応付けて登録される。
【０１９５】
さらに、選局テーブルには、マルチセグメント情報記述子の連結情報に基づいて、各放送セグメントの連結グループの番号が登録される。図３０の例では、中央セグメントである７番目のセグメントのＴＳと、６番目および８番目のセグメントのＴＳが、同一のコミュニティ放送局１０１から送信されており、６乃至８番目のセグメントに対して、同一の連結グループの番号「Ｇ１」が登録されている。
【０１９６】
［受信端末の処理の説明］
図３１は、受信端末１０２による選局テーブル作成処理のフローチャートである。この選局テーブル作成処理は、例えば、ユーザにより選局テーブルの取得が指示されたとき開始される。
【０１９７】
ステップＳ９１乃至Ｓ９８の処理は、図２４のステップＳ５１乃至Ｓ５６、Ｓ５９、およびＳ６０の処理と同様であるので、説明は省略する。
【０１９８】
ステップＳ９９において、制御部１４１は、ワンセグ放送のNITおよびSDT、または、中央セグメントのコミュニティ放送のNITおよびSDT並びにステップＳ９６で計算された周波数に基づいて、選局テーブルを作成する。そして、制御部８０は、作成された選局テーブルを内蔵するメモリに記憶し、処理を終了する。
【０１９９】
以上のように、コミュニティ放送局１０１は、コミュニティ放送のNITとマルチセグメント情報記述子を含む、コミュニティ放送の中央セグメントのNITを生成し、そのNITをコミュニティ放送の中央セグメントで送信する。そして、受信端末１０２は、各物理チャンネルの中央セグメントのＴＳを受信し、そのＴＳに含まれるマルチセグメント情報記述子に応じて、その中央セグメントがマルチセグメント放送のセグメントであるかどうかを認識し、選局を制御する。これにより、全てのコミュニティ放送の選局情報を認識することができる。
【０２００】
なお、送受信システム１００においても、受信端末１０２が、コミュニティ放送の中央セグメント以外の放送セグメントを選局してSDTを取得し、そのSDTに基づいて選局テーブルに正確なサービス名を登録するようにしてもよい。
【０２０１】
このように、受信端末１０２が、中央セグメント以外の放送セグメントを選局する場合、中央セグメントのNITから認識された放送セグメントのうち、実際に受信可能な放送セグメントを認識することができる。
【０２０２】
例えば、図２５において、受信端末１０２は、中央セグメントのNITから、コミュニティ放送局１０１−１乃至１０１−３で送信に用いられる全てのセグメントを放送セグメントとして認識する。しかしながら、受信端末１０２は、サービスエリアＢにある場合、コミュニティ放送局１０１−１および１０１−３のコミュニティ放送を受信することができない。従って、受信端末１０２が中央セグメント以外の放送セグメントを選局しても、コミュニティ放送局１０１−１および１０１−３のコミュニティ放送のＴＳは受信されず、実際に受信可能なコミュニティ放送局１０１−２のコミュニティ放送のSDTのみが取得される。
【０２０３】
従って、このような場合、受信端末１０２は、選局テーブルにおいて、コミュニティ放送ごとに受信可能であるかどうかを示すフラグを登録し、受信可能ではないコミュニティ放送のサービス名は表示部７６に表示しないようにする。これにより、ユーザが、表示部７６に表示されたサービス名を選択指示しても、そのサービス名に対応するコミュニティ放送が表示されないことを防止することができる。
【０２０４】
また、コミュニティ放送の中央セグメントのNITにマルチセグメント配置情報のビットマップが含まれない場合には、受信端末１０２は、放送セグメントを認識できないので、中央セグメントだけでなく、全ての中央外セグメントを選局する。これにより、受信端末１０２は、中央セグメント以外の放送セグメントの選局情報を認識することができる。
【０２０５】
さらに、上述した送受信システム３０（１００）では、ワンセグ再放送またはコミュニティ放送のいずれか一方がマルチセグメント放送されたが、両方がマルチセグメント放送されるようにしてもよい。
【０２０６】
また、送受信システム３０（１００）において、ワンセグ再放送またはコミュニティ放送のNITを取得し、そのNITに基づいてサービスＩＤなどの情報を選局テーブルに登録するようにしてもよい。
【０２０７】
本発明では、既存の地上波デジタル放送で規定されているNITにマルチセグメント情報記述子を含めたものが、マルチセグメント放送の中央セグメントのNITとして送信されるので、マルチセグメント放送は、既存の地上波デジタル放送の方式体系と整合のとれた放送となり、インターオペラビリティが確保される。
【０２０８】
また、受信端末３３（１０２）は、従来の受信端末９５に対して、マルチセグメント放送の中央セグメントのNITのマルチセグメント情報記述子を認識する機能、マルチセグメント情報記述子に基づいて選局テーブルを作成する機能などを追加することにより実現可能である。従って、受信端末３３（１０２）によれば、マルチセグメント放送に対応させるために必要なコストの上昇を抑制することができる。
【０２０９】
上述した１セグ再送信局３２、受信端末３３、コミュニティ放送局１０１、受信端末１０２の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２１０】
図３２は、上述した一連の処理をプログラムにより実行するパーソナルコンピュータのハードウエアの構成例を示すブロック図である。
【０２１１】
パーソナルコンピュータ２００において、CPU（Central Processing Unit）２０１，ROM（Read Only Memory）２０２，RAM（Random Access Memory）２０３は、バス２０４により相互に接続されている。
【０２１２】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０２１３】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０２１４】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０２１５】
パーソナルコンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０２１６】
パーソナルコンピュータ２００では、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０２１７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１８】
また、本明細書において、システムとは、複数の装置により構成される装置全体を表すものである。
【０２１９】
さらに、本発明の実施の形態は、上述した実施の形態に限定されるものではなく、本発明の要旨を逸脱しない範囲において種々の変更が可能である。
【符号の説明】
【０２２０】
３２  １セグ再送信局，  ３３  受信端末,  ４２−１乃至４２−３  １セグチューナ，  ４３−１乃至４３−３  信号変換部，  ４４  マルチセグメント送出部，  ７２  チューナ，  ８０  制御部，  １０１  コミュニティ放送局，  １０２  受信端末，  １２１  関連情報生成部，  １２７  送信部，  １４１  制御部
【図１】
2010110295.tif 000003
【図２】
2010110295.tif 000004
【図３】
2010110295.tif 000005
【図４】
2010110295.tif 000006
【図５】
2010110295.tif 000007
【図６】
2010110295.tif 000008
【図７】
2010110295.tif 000009
【図８】
2010110295.tif 000010
【図９】
2010110295.tif 000011
【図１０】
2010110295.tif 000012
【図１１】
2010110295.tif 000013
【図１２】
2010110295.tif 000014
【図１３】
2010110295.tif 000015
【図１４】
2010110295.tif 000016
【図１５】
2010110295.tif 000017
【図１６】
2010110295.tif 000018
【図１７】
2010110295.tif 000019
【図１８】
2010110295.tif 000020
【図１９】
2010110295.tif 000021
【図２０】
2010110295.tif 000022
【図２１】
2010110295.tif 000023
【図２２】
2010110295.tif 000024
【図２３】
2010110295.tif 000025
【図２４】
2010110295.tif 000026
【図２５】
2010110295.tif 000027
【図２６】
2010110295.tif 000028
【図２７】
2010110295.tif 000029
【図２８】
2010110295.tif 000030
【図２９】
2010110295.tif 000031
【図３０】
2010110295.tif 000032
【図３１】
2010110295.tif 000033
【図３２】
2010110295.tif 000034
【国際調査報告】
2010110295.tif 000035
2010110295.tif 000036
2010110295.tif 000037
2010110295.tif 000038